(57)【要約】  【課題】筆記具に取り付けることができ、筆記する際の筆記音を拡張させ得る筆記音拡張器具を提供する。  【解決手段】筆記音拡張器具Ａは、筆記具Ｈに取り付けられて使用され当該筆記具Ｈによる筆記音を拡張し得るものであって、筆記具Ｈに取り付けられる取付部１と、この取付部１に連続して設けられ筆記具Ｈによる筆記に伴う振動に連動して振動し得る筆記音拡張部２とを備えている。このようなものであれば、筆記具Ｈに取り付けることができ、筆記する際の筆記音を拡張させ得る筆記音拡張器具Ａを提供することができる。【選択図】図１
2020172087.tif 000002
【特許請求の範囲】
【請求項１】
筆記具に取り付けられて使用され当該筆記具による筆記音を拡張し得る筆記音拡張器具であって、
前記筆記具に取り付けられる取付部と、この取付部に連続して設けられ前記筆記具による筆記に伴う振動に連動して振動し得る筆記音拡張部とを備えている筆記音拡張器具。
【請求項２】
前記取付部が、前記筆記具を外側から挟むことにより当該筆記具に取り付けられるものである請求項１記載の筆記音拡張器具。
【請求項３】
合成樹脂製のシート材を成形することにより前記取付部及び前記筆記音拡張部が構成されたものであり、
前記取付部が、前記筆記具の一方の外面に添接し得る第一のシート材構成部分と前記筆記具の他方の外面に添接し得る第二のシート材構成部分とを備えたものであり、
前記取付部が、前記第一のシート材構成部分、及び、第二のシート材構成部分により前記筆記具を外側から挟み得るものである請求項１又は２記載の筆記音拡張器具。
【請求項４】
前記第一のシート材構成部分の一端部と前記第二のシート材構成部分の一端部との間が折り曲げ部を介して一体に連続したものであり、
前記第一のシート材構成部分における他端部側の一部分と前記第二のシート材構成部分における他端部側の一部分とが連結部において連結されたものであり、
前記取付部が、前記折り曲げ部と前記連結部との間に形成された保持孔に前記筆記具の一部分を配設するものである請求項３記載の筆記音拡張器具。
【請求項５】
前記筆記音拡張部が、前記筆記具に当接しない状態で当該筆記具の外側部を覆い得る湾曲板状部分を備えたものである請求項１、２、３又は４記載の筆記音拡張器具。
【請求項６】
前記筆記音拡張部が、前記筆記具に当接しない状態で当該筆記具の外側部を覆い得る湾曲板状部分を備えたものであり、
前記湾曲板状部分が、前記第一、第二のシート材構成部分から前記筆記具の後端方向に一体に延設されたものである請求項３又は４記載の筆記音拡張器具。
【請求項７】
ポリ塩化ビニル製のシート材を成形することにより前記取付部及び前記筆記音拡張部が構成されたものであり、
前記シート材が、０．２〜０．４ｍｍの厚み寸法をなしたものである請求項１、２、３、４、５又は６記載の筆記音拡張器具。
【発明の詳細な説明】
【技術分野】
【０００１】
本発明は、筆記具に装着して使用される筆記音拡張器具に関する。
【背景技術】
【０００２】
従来から筆記音を拡張させる機能を組み込んだ専用の筆記具が知られている（例えば、特許文献１を参照。）。
【０００３】
ところで、一般的な筆記具においても筆記する際の筆記音を拡張させることができれば、拡張された筆記音を好適に使用者の耳に届け得るものとなり、当該使用者に対して心地よい使用感を提供し得るものとなる。
【０００４】
また、目の不自由な者においては、本人または他人が行う筆記時の筆記音を可及的に大きな音量で得られることが望ましい。すなわち、目の不自由な者は、拡張された筆記音を頼りにして、用紙上に記載された文字（例えば、ひらがなの五十音など）が何であるかを把握し易いものとなる。
【先行技術文献】
【特許文献】
【０００５】
【特許文献１】特開２０１８−１６７４６０号公報
【発明の概要】
【発明が解決しようとする課題】
【０００６】
本発明は、以上のような事情に着目してなされたもので、少なくとも、筆記具に取り付けることができ、筆記する際の筆記音を拡張させ得る筆記音拡張器具を提供することにある。
【課題を解決するための手段】
【０００７】
すなわち、本発明は次の構成をなしている。
【０００８】
請求項１に記載の発明は、筆記具に取り付けられて使用され当該筆記具による筆記音を拡張し得る筆記音拡張器具であって、前記筆記具に取り付けられる取付部と、この取付部に連続して設けられ前記筆記具による筆記に伴う振動に連動して振動し得る筆記音拡張部とを備えている筆記音拡張器具である。
【０００９】
請求項２に記載の発明は、前記取付部が、前記筆記具を外側から挟むことにより当該筆記具に取り付けられるものである請求項１記載の筆記音拡張器具である。
【００１０】
請求項３に記載の発明は、合成樹脂製のシート材を成形することにより前記取付部及び前記筆記音拡張部が構成されたものであり、前記取付部が、前記筆記具の一方の外面に添接し得る第一のシート材構成部分と前記筆記具の他方の外面に添接し得る第二のシート材構成部分とを備えたものであり、前記取付部が、前記第一のシート材構成部分、及び、第二のシート材構成部分により前記筆記具を外側から挟み得るものである請求項１又は２記載の筆記音拡張器具である。
【００１１】
請求項４に記載の発明は、前記第一のシート材構成部分の一端部と前記第二のシート材構成部分の一端部との間が折り曲げ部を介して一体に連続したものであり、前記第一のシート材構成部分における他端部側の一部分と前記第二のシート材構成部分における他端部側の一部分とが連結部において連結されたものであり、前記取付部が、前記折り曲げ部と前記連結部との間に形成された保持孔に前記筆記具の一部分を配設するものである請求項３記載の筆記音拡張器具である。
【００１２】
請求項５に記載の発明は、前記筆記音拡張部が、前記筆記具に当接しない状態で当該筆記具の外側部を覆い得る湾曲板状部分を備えたものである請求項１、２、３又は４記載の筆記音拡張器具である。
【００１３】
請求項６に記載の発明は、前記筆記音拡張部が、前記筆記具に当接しない状態で当該筆記具の外側部を覆い得る湾曲板状部分を備えたものであり、前記湾曲板状部分が、前記第一、第二のシート材構成部分から前記筆記具の後端方向に一体に延設されたものである請求項３又は４記載の筆記音拡張器具である。
【００１４】
請求項７に記載の発明は、ポリ塩化ビニル製のシート材を成形することにより前記取付部及び前記筆記音拡張部が構成されたものであり、前記シート材が、０．２〜０．４ｍｍの厚み寸法をなしたものである請求項１、２、３、４、５又は６記載の筆記音拡張器具である。
【発明の効果】
【００１５】
以上説明したように本発明によれば、筆記具に取り付けることができ、筆記する際の筆記音を拡張させ得る筆記音拡張器具を提供することができる。
【図面の簡単な説明】
【００１６】
【図１】本発明の一実施形態を示す斜視図。
【図２】同実施形態における斜視図。
【図３】同実施形態における正面図。
【図４】同実施形態における背面図。
【図５】同実施形態における右側面図。
【図６】同実施形態における平面図。
【図７】同実施形態における底面図。
【図８】同実施形態における斜視図。
【図９】他の実施形態を示す斜視図。
【図１０】同実施形態における斜視図。
【図１１】同実施形態における正面図。
【発明を実施するための形態】
【００１７】
以下、本発明の一実施形態を、図１〜８を参照して説明する。
【００１８】
筆記音拡張器具Ａは、図１、図５、及び、図８に示すように、一般的な筆記具Ｈ（この実施形態では鉛筆を例示している。）に取り付けられて使用され当該筆記具Ｈによる筆記音を拡張し得るものである。
【００１９】
ここで、筆記具Ｈに生ずる「筆記音」とは、主として筆記対象物である用紙Ｐに文字等を筆記する際に生ずる筆記具Ｈの振動に基づくものである。つまり、筆記音拡張器具Ａは、筆記具Ｈに装着されるものであり、当該筆記具Ｈに生ずる振動を増幅させ得るものである。
【００２０】
筆記音拡張器具Ａは、図１〜８に示すように、筆記具Ｈにおける使用者の手指Ｆにより把持される被把持部ｈ１の近傍に取り付けられる取付部１と、取付部１に連続して設けられ筆記具Ｈの振動に連動して振動し得る筆記音拡張部２とを備えている。
【００２１】
筆記音拡張器具Ａは、合成樹脂製のシート材を所定の形状に成形することにより取付部１及び筆記音拡張部２が構成されている。この実施形態におけるシート材は、ポリ塩化ビニル（ＰＶＣ）製のものである。
【００２２】
シート材は、０．２〜０．４ｍｍの厚み寸法に設定されたものであることが望ましい。すなわち、シート材の厚み寸法が０．２ｍｍよりも小さい値の場合には一定の形態を保持し得る強度が確保され難いものとなり、シート材の厚み寸法が０．４ｍｍよりも大きい値の場合には筆記具Ｈの振動に連動して適切に振動し難い（拡張された筆記音が発生し難い）ものとなる。なお、この実施形態における筆記音拡張器具Ａでは、シート材の厚み寸法が０．３ｍｍに設定されている。
【００２３】
取付部１は、筆記具Ｈを外側から挟むことにより当該筆記具Ｈに取り付けられるものである。取付部１は、筆記具Ｈの一方の外面に添接し得る第一のシート材構成部分１１と筆記具Ｈの他方の外面に添接し得る第二のシート材構成部分１２とを備えたものである。取付部１は、第一のシート材構成部分１１、及び、第二のシート材構成部分１２により筆記具Ｈを外側から挟み得るものとなっている。
【００２４】
なお、筆記音拡張器具Ａの取付部１は、図１、図５、及び、図８に示すように、筆記具Ｈに装着された状態において、当該筆記具Ｈの被把持部ｈ１の上に位置し得るものとなっている。
【００２５】
取付部１は、第一のシート材構成部分１１の一端部たる後端部と第二のシート材構成部分１２の一端部たる後端部との間が折り曲げ部Ｃを介して一体に連続したものである。そして、第一のシート材構成部分１１における他端部たる自由端側の一部分と第二のシート材構成部分１２における他端部たる自由端側の一部分とが連結部Ｂにおいて連結されたものとなっている。
【００２６】
連結部Ｂは、リベットやネジ及びナット等の連結具、或いは、熱溶着等の連結手段を用いて第一、第二のシート材構成部分１１、１２の一部分同士を連結することにより構成されている。
【００２７】
取付部１は、折り曲げ部Ｃと連結部Ｂとの間に形成された保持孔Ｊに筆記具Ｈの一部分を配設し得るものとなっている。すなわち、図８に示すように、筆記具Ｈは、鋭角をなす先端部を保持孔Ｊに対して上側から下側に向かって挿入し、当該先端部を保持孔Ｊから通過させることにより、被把持部ｈ１の上部分が保持孔Ｊに保持され得るものとなっている。
【００２８】
筆記具Ｈの先端部が保持孔Ｊに入り込む際に、当該保持孔Ｊを構成する第一、第二のシート材構成部分１１、１２が外方に弾性変形により膨らみ、その後、第一、第二のシート材構成部分１１、１２が元の状態に復帰しようとする弾性変形力により筆記具Ｈを両側から挟みつけることになる。
【００２９】
筆記音拡張部２は、振動板として作用し得るように比較的大きな面積に設定されたものである。筆記音拡張部２は、筆記具Ｈの振動を増幅させて筆記具Ｈの筆記音を拡張させる主要部をなしている。筆記音拡張部２は、筆記具Ｈに装着された状態において、取付部１よりも上に位置し得るものとなっている。筆記音拡張部２は、取付部１に連続し正面視において下から上に向かって漸次幅寸法が大きくなるように構成された下部領域２ａと、下部領域２ａの上に連設され正面視において上下方向に略等幅をなすように構成された上部領域２ｂとを備えている。下部領域２ａは、上部領域２ｂと比較して、装着された筆記具Ｈの両側部を外側から覆い得る形状をなしている。
【００３０】
筆記音拡張部２は、筆記具Ｈによる振動が阻害されないように、筆記具Ｈに当接しない状態で当該筆記具Ｈの外側部を覆い得る湾曲板状部分２１を備えたものである。なお、下部領域２ａと上部領域２ｂはそれぞれ湾曲板状部分２１を構成する部位である。筆記音拡張部２における湾曲板状部分２１は、第一、第二のシート材構成部分１１、１２から筆記具Ｈの後端方向に一体に延設されたものである。
【００３１】
筆記音拡張部２は、左右対称の形状をなしている。このため、筆記具Ｈによる振動が左右対称形状をなす筆記音拡張部２にバランスよく伝達され、当該筆記音拡張部２から拡張された筆記音が好適に生じ得るものとなっている。さらに、筆記音拡張部２が左右対称形状をなすものであるため、筆記具Ｈの本来の重心位置を過度に損ね難いものとなっている。つまり、筆記音拡張器具Ａは、筆記具Ｈに装着された状態において、使用者による筆記具Ｈの使いやすさが好適に確保されたものとなっている。
【００３２】
以上の構成をなす筆記音拡張器具Ａを筆記具Ｈに装着して用紙Ｐに筆記すると、発生する筆記音は非装着の場合と比較して約二倍に拡張され得るものとなっている。つまり、筆記具Ｈの先端が用紙Ｐと摩擦することにより、筆記具Ｈが振動する。そして、筆記具Ｈの振動は、当該筆記具Ｈに装着された筆記音拡張器具Ａに伝達される。筆記音拡張器具Ａにおいては、筆記具Ｈの振動が当該筆記具Ｈに直接的に係り合う取付部１を介して筆記音拡張部２に伝達される。この結果、取付部１よりも広い面積を有した筆記音拡張部２が連動して振動が増幅され、拡張された筆記音が生じ得るものとなっている。なお、拡張された筆記音は、筆記音拡張部２が向いている方向に好適に生じ得るものとなっている。例えば、筆記音拡張部２を使用者側に向けて使用すれば、当該使用者は筆記音拡張部２から伝達された筆記音を比較的大きな音量で得ることができるものとなる。
【００３３】
換言すれば、筆記音拡張部２は湾曲形状部分２１を有しているため筆記具Ｈの筆記音を拡散させることなく、湾曲形状部分２１が向く任意の方向に好適に拡張し得るものとなっている。
【００３４】
以上説明したように、本実施形態に係る筆記音拡張器具Ａは、筆記具Ｈに取り付けられて使用され当該筆記具Ｈによる筆記音を拡張し得るものである。そして、筆記音拡張器具Ａは、筆記具Ｈに取り付けられる取付部１と、この取付部１に連続して設けられ筆記具Ｈによる筆記に伴う振動に連動して振動し得る筆記音拡張部２とを備えている。このため、筆記具Ｈに取り付けることができ、筆記する際の筆記音を拡張させ得る筆記音拡張器具Ａを提供することができるものとなる。
【００３５】
つまり、筆記音拡張器具Ａであれば、一般的に広く普及している筆記具Ｈに柔軟に装着して使用することができる。そして、筆記音拡張器具Ａは、筆記する際の筆記音を好適に拡張させ得るものとなっている。
【００３６】
換言すれば、筆記音拡張器具Ａを筆記具Ｈに装着するだけで、筆記具Ｈから生ずる筆記音を非装着の場合と比較して聞こえやすい音量で使用者及びその近くに居る者の耳に届け得るものとなっている。そのため、筆記具Ｈの使用者に対して用紙Ｐに記載している際の心地よい使用感を提供し得るとともに使用者の近くに居る者に対しても使用者による筆記音を届けやすいものとなっている。
【００３７】
また、筆記音拡張器具Ａであれば、目の不自由な者に対しても、本人または他人が行う筆記具Ｈの筆記音を非装着の場合と比較して大きな音量で届け得るものとなる。これにより、目の不自由な者は、筆記音拡張器具Ａにより拡張された筆記音を頼りにして、用紙Ｐ上に記載された文字（例えば、ひらがなの五十音など）が何であるかを把握し易いものとなっている。
【００３８】
取付部１が、筆記具Ｈを外側から挟むことにより当該筆記具Ｈに取り付けられるものである。このため、筆記音拡張器具Ａは、筆記具Ｈとともに好適に振動し得る適切な構成を採り得るものとなっている。
【００３９】
合成樹脂製のシート材を成形することにより筆記音拡張器具Ａを構成する取付部１及び筆記音拡張部２が構成されたものとなっている。そして、取付部１が、筆記具Ｈの一方の外面に添接し得る第一のシート材構成部分１１と筆記具Ｈの他方の外面に添接し得る第二のシート材構成部分１２とを備えている。取付部１が、第一のシート材構成部分１１、及び、第二のシート材構成部分１２により筆記具Ｈを外側から挟み得るものである。このため、筆記音拡張器具Ａの取付部１は、筆記具Ｈからの振動を阻害することなく筆記音拡張器具Ａ側に伝達し得る好適な構成を採るものとなるため、筆記音拡張器具Ａは筆記具Ｈの振動に好適に連動し得るものとなる。
【００４０】
第一のシート材構成部分１１の一端部と第二のシート材構成部分１２の一端部との間が折り曲げ部Ｃを介して一体に連続したものであり、第一のシート材構成部分１１における他端部側の一部分と第二のシート材構成部分１２における他端部側の一部分とが連結部Ｂにおいて連結されたものである。そして、取付部１が、折り曲げ部Ｃと連結部Ｂとの間に形成された保持孔Ｊに筆記具Ｈの一部分を配設するものである。このため、筆記音拡張器具Ａの取付部１は、筆記具Ｈを取り付けやすい構成をなしたものとなっている。
【００４１】
筆記音拡張部２が、筆記具Ｈに当接しない状態で当該筆記具Ｈの外側部を覆い得る湾曲板状部分２１を備えたものである。このため、筆記具Ｈの振動に連動して拡張された筆記音を生じさせ得る好適な形態をなしたものとなる。
【００４２】
湾曲板状部分２１が、第一、第二のシート材構成部分１１、１２から取付部１に装着された筆記具Ｈの後端方向に沿って一体に延設されたものである。このため、湾曲板状部分２１は、使用者の手が接し難い箇所に位置し得るものとなり、筆記具Ｈからの振動を使用者に起因して阻害され難いものとなっている。
【００４３】
ポリ塩化ビニル製のシート材を成形することにより取付部１及び筆記音拡張部２が構成されたものであり、シート材が、０．２〜０．４ｍｍの厚み寸法をなしたものである。このため、所定の強度は保持しつつ、筆記音の拡張するための振動が好適になされ得る筆記音拡張器具Ａを提供し得るものとなる。
【００４４】
なお、本発明は、以上に詳述した実施形態に限られるものではない。
【００４５】
筆記音拡張器具に適用される材質は、合成樹脂製のものに限られるものではなく、例えば、金属製のものであってもよい。
【００４６】
ここで、図９〜１１に示すものは、他の実施形態である筆記音拡張器具Ａを示している。なお、同図において、上述した実施形態と同一又は相当する構成については同一の符号を用いるものとし、説明を省略する。
【００４７】
筆記音拡張器具Ａは、金属により構成されたものである。筆記音拡張器具Ａは、筆記具Ｈに取り付けられる取付部１と、取付部１に連続して設けられ筆記具Ｈによる筆記に伴う振動に連動して振動し得る筆記音拡張部２とを備えている。
【００４８】
取付部１は、筆記具Ｈを外側から挟むことにより当該筆記具Ｈに取り付けられるクリップ式のものとなっている。この実施形態における筆記音拡張器具Ａは、取付部１がクリップ式のものであるため、直径の異なる種々の筆記具Ｈに対して柔軟に取り付け得るものとなっている。
【００４９】
すなわち、取付部１は、筆記具Ｈの一方の外面に添接し得る部分円筒状をなす可動部材である第一の取付部構成部分１３と、筆記具Ｈの他方の外面に添接し得る部分円筒状をなすとともに筆記音拡張部２が一体に連設された第二の取付部構成部分１４と、第一、第二の取付部構成部分１３、１４間に介設され第一、第二の取付部構成部分１３、１４同士を相寄る方向に付勢するクリップ本体Ｄとを備えたものである。
【００５０】
第一の取付部構成部分１３の上端部には、筆記具Ｈの後端部（上端部）を被覆し得る複数の連通孔ｒを設けた筆記具被覆部１３１を備えている。筆記具被覆部１３１は、筆記具Ｈの後端部を使用者から視認され難いように覆い得るものである。また、筆記具被覆部１３１は、複数の連通孔ｒを設けることによりスピーカー又はマイクロフォンを想起させ得る意匠性を発揮させている。
【００５１】
クリップ本体Ｄは、第一の取付部構成部分１３と一体的に形成されるとともに当該第一の取付部構成部分１３から突設された第一のクリップ本体構成要素ｄ１と、第二の取付部構成部分１４と一体的に形成されるとともに当該第二の取付部構成部分１４から突設された第二のクリップ本体構成要素ｄ２と、第一、第二のクリップ本体構成要素ｄ１、ｄ２間に介設され第一、第二の取付部構成部分１３、１４を相寄る方向に付勢し得る図示しないスプリングとを備えたものである。
【００５２】
筆記音拡張部２は、部分円筒状の形態部分２２を主体に構成されている。部分円筒状の形態部分２２の上端部には、内面側が当該部分円筒状の形態部分２２に囲まれた空間側を向くように延びた縁壁２３を備えている。縁壁２３は、楽器の形態を想起させ得る意匠性を発揮させるための部位をなしている。
【００５３】
このような構成のものであっても、筆記具Ｈに取り付けることができ、且つ、筆記する際の筆記音を拡張させ得る筆記音拡張器具Ａを提供するものとなるため、所期の目的を達成することができるものとなる。
【００５４】
その他、上記した各実施形態における各部の具体的構成については、各実施形態に示されたものに限られるものではない。
【００５５】
例えば、筆記音拡張器具の装着対象である筆記具は鉛筆に限られるものではなく、筆記具に属するものであればどのようなものであってもよい。筆記具は、先端を筆記対象物に摺接させることにより振動し得るものであればどのようなものであってもよい。
【００５６】
取付部を構成する連結部は、どのような構成のものであってもよい。例えば、カシメによるものであってもよいし、ねじ絞めによるものであってもよいし、溶接により行われるものであってもよい。
【００５７】
筆記音拡張部の具体的形態についても、種々の形態を採り得るものであることは言うまでもない。
【００５８】
その他、各部の具体的構成についても上記実施形態に限られるものではなく、本発明の趣旨を逸脱しない範囲で種々変形が可能である。
【符号の説明】
【００５９】
Ａ…筆記音拡張器具
１…取付部
２…筆記音拡張部
１１…第一のシート材構成部分
１２…第二のシート材構成部分
２１…湾曲板状部分
【図１】
2020172087.tif 000003
【図２】
2020172087.tif 000004
【図３】
2020172087.tif 000005
【図４】
2020172087.tif 000006
【図５】
2020172087.tif 000007
【図６】
2020172087.tif 000008
【図７】
2020172087.tif 000009
【図８】
2020172087.tif 000010
【図９】
2020172087.tif 000011
【図１０】
2020172087.tif 000012
【図１１】
2020172087.tif 000013